(57)【要約】【課題】  車椅子からの立ち上がり動作と大便器に着座した状態の姿勢保持動作をサポートするとともに、車椅子から立ち上がってから大便器に着座するまでの移動動作も安定してサポートできるトイレ用手摺装置を提供すること。【解決手段】  このトイレ用手摺装置１は、第一のロック位置５と第二のロック位置６と第三のロック位置７とを有し、第一のロック位置５は、大便器１１０に着座した状態をサポートし、第二のロック位置６は、車椅子１１００からの立ち上がりをサポートし、第三のロック位置７は、使用者１０００が移動動作中に後方への倒れ込みを防止するとともに、車椅子１１００から立ち上がってから大便器１１０前方までの移動をサポートすることができる構成となっている。【選択図】  図４
2014223118.tif 000002
【特許請求の範囲】
【請求項１】
腰掛式の大便器が設けられたトイレルーム内に取り付けられ、トイレルーム内に入室した車椅子使用者の動作をサポートするトイレ用手摺装置であって、
使用者が把持する把持部と、
前記把持部の一端側に設けられ、前記把持部を大便器の前方スペースにおいて水平方向に回動させる回動軸部と、
前記把持部の回動を所定の位置でロックさせるロック機構とを備え、
前記ロック機構は、
大便器に着座した使用者が前記把持部を掴んで着座姿勢を保持するために、大便器に着座した使用者の脚部上方であって、大便器の左右方向と略平行な位置で前記把持部の回動をロックさせる第一のロック位置と、
車椅子に着座した使用者が前記把持部を掴んで車椅子から立ち上がる際に、大便器の前方に車椅子使用者が車椅子から立ち上がるための第一のスペースが形成されるよう前記第一のロック位置よりも大便器の前方側の位置で前記把持部の回動をロックさせる第二のロック位置とを有しており、
更に前記ロック機構は、
車椅子から立ち上がった使用者が前記把持部を掴みながら前記第二のロック位置から前記第一のロック位置に向けて前記把持部を回動させる際に、大便器の前方に使用者が大便器に着座するための前記第一のスペースよりも小さい第二のスペースが形成されるよう、前記第一のロック位置と前記第二のロック位置との間で前記把持部をロックさせる第三のロック位置と、
が設けられていることを特徴とするトイレ用手摺装置。
【請求項２】
前記第三のロック位置は、前記把持部の延在方向が前記大便器の左右方向に対して傾斜した状態となるよう構成されるとともに、
前記第一のロック位置から前記大便器の前方スペース側へ４５度未満の間の位置で回動をロックすることを特徴とする請求項１記載のトイレ用手摺装置。
【請求項３】
前記第二のロック位置は、前記把持部の延在方向が前記大便器の左右方向に対して傾斜した状態となるよう構成されており、
前記第一のロック位置から前記第二のロック位置までの回動角度は、前記第一のロック位置から前記第三のロック位置までの回動角度よりも大きくなるよう構成されていることを特徴とする請求項２記載のトイレ用手摺装置。
【発明の詳細な説明】
【技術分野】
【０００１】
本発明は、腰掛式の大便器が設けられたトイレルーム内に入室した車椅子使用者の大便器使用に伴う動作をサポートするトイレ用手摺装置に関する。
【背景技術】
【０００２】
近年、トイレルームには、大便器使用に伴う動作をサポートするトイレ用手摺装置が広く普及している。
【０００３】
特許文献１には、使用者が把持する把持部と、把持部の一端側に設けられ、把持部を水平方向に回動させる回動軸部と、把持部の回動を所定の位置でロックさせるロック機構とを備えたトイレ用手摺装置が開示されている。この特許文献１のロック機構は、大便器に着座した使用者が把持部を掴んで着座姿勢を保持するために、大便器に着座した使用者の脚部上方であって、大便器の左右方向と略平行な位置で把持部の回動をロックできることが開示されている。また、トイレ用手摺装置の不使用時に把持部が邪魔にならないようにするために、トイレルームの側壁面に沿う位置で把持部の回動をロックできることが開示されている。
【０００４】
例えば、車椅子使用者が上記特許文献１に記載されたトイレ用手摺装置を用いた場合、把持部の回動を上述したトイレルームの側壁面と沿う位置でロックさせることで、車椅子に着座した使用者が把持部を掴んで車椅子から立ち上がることができる。また、把持部の回動を上述した大便器に着座した使用者の脚部上方であって、大便器の左右方向と略平行な位置でロックさせることで、大便器に着座した使用者が把持部を掴んで着座姿勢を保持することができる。
【先行技術文献】
【特許文献】
【０００５】
【特許文献１】特開２００７−１８５２６７号公報
【発明の開示】
【発明が解決しようとする課題】
【０００６】
上記特許文献１に記載されたトイレ用手摺装置は、上述した通り、車椅子からの立ち上がり動作と大便器に着座した状態の姿勢保持動作をサポートすることはできるが、車椅子から立ち上がってから大便器に着座するまでの移動動作をサポートすることは考えられておらず、この移動動作においては介護者の補助が必要となっていた。
【０００７】
本発明者らは、車椅子からの立ち上がり動作と大便器に着座した状態の姿勢保持動作のサポートだけでなく、車椅子から立ち上がってから大便器に着座するまでの移動動作もサポートできるトイレ用手摺装置を提供することを目的として鋭意検討を行った。具体的には、車椅子から立ち上がった使用者が把持部に掴まりながら把持部を回動させ、大便器の前方まで移動できるトイレ用手摺装置を提供することを目指した。
【０００８】
しかしながら、この大便器への移動動作は、後方への移動となるため大便器までの距離感が把握し難いという問題がある。特に、上述したように大便器に着座した状態の姿勢保持動作をサポートするために、便器に着座した使用者の脚部上方であって、大便器の左右方向と略平行な位置で把持部の回動がロックされるよう構成されているため、移動動作時に把持部を回動させ過ぎてしまうと、使用者が安定して立ち姿勢を維持できるためのスペースが大便器の前方に無くなった状態で把持部がロックされてしまうため、把持部に押されるようにして後方側の大便器に倒れ込んでしまうという新たな課題が生じた。
【０００９】
本発明は、上述した課題に鑑みてなされたものであり、車椅子からの立ち上がり動作と便器に着座した状態の姿勢保持動作をサポートするとともに、車椅子から立ち上がってから便器に着座するまでの移動動作も安定してサポートできるトイレ用手摺装置を提供することを目的としたものである。
【課題を解決するための手段】
【００１０】
上記課題を解決するために、本発明に係るトイレ用手摺装置は、腰掛式の大便器が設けられたトイレルーム内に取り付けられ、トイレルーム内に入室した車椅子使用者の動作をサポートするトイレ用手摺装置であって、使用者が把持する把持部と、前記把持部の一端側に設けられ、前記把持部を大便器の前方スペースにおいて水平方向に回動させる回動軸部と、前記把持部の回動を所定の位置でロックさせるロック機構とを備え、前記ロック機構は、大便器に着座した使用者が前記把持部を掴んで着座姿勢を保持するために、大便器に着座した使用者の脚部上方であって、大便器の左右方向と略平行な位置で前記把持部の回動をロックさせる第一のロック位置と、車椅子に着座した使用者が前記把持部を掴んで車椅子から立ち上がる際に、大便器の前方に車椅子使用者が車椅子から立ち上がるための第一のスペースが形成されるよう前記第一のロック位置よりも大便器の前方側の位置で前記把持部の回動をロックさせる第二のロック位置とを有しており、更に前記ロック機構は、車椅子から立ち上がった使用者が前記把持部を掴みながら前記第二のロック位置から前記第一のロック位置に向けて前記把持部を回動させる際に、大便器の前方に使用者が大便器に着座するための前記第一のスペースよりも小さい第二のスペースが形成されるよう、前記第一のロック位置と前記第二のロック位置との間で前記把持部をロックさせる第三のロック位置と、が設けられていることを特徴とする。
【００１１】
第一の発明は、大便器に着座した使用者の脚部上方であって、大便器の左右方向と略平行な位置で把持部の回動をロックさせる第一のロック位置を設けることで、使用者は大便器に座った状態で把持部を掴んで大便器に着座した状態を保持することができる。
【００１２】
また、車椅子に着座した使用者が把持部を掴んで車椅子から立ち上がる際に、大便器の前方に車椅子使用者が車椅子から立ち上がるための第一のスペースが形成されるよう第一のロック位置よりも大便器の前方側の位置で把持部の回動をロックさせる第二のロック位置を設けることで、車椅子から立ち上がる際のスペースを充分に確保することができるとともに、トイレ用手摺装置を利用して立ち上がることができるため、安定した状態で立ち上がることができる。
【００１３】
さらに、車椅子から立ち上がった使用者が把持部を掴みながら第二のロック位置から第一のロック位置に向けて把持部を回動させる際に、大便器の前方に使用者が大便器に着座するための第一のスペースよりも小さい第二のスペースが形成されるよう、第一のロック位置と第二のロック位置との間で把持部をロックさせる第三のロック位置を設けることで、移動動作時に把持部を回動させ過ぎてしまうことがない。そのため、使用者が安定して立ち姿勢を維持できるためのスペースが大便器前方になくなった状態で把持部がロックされてしまうことがなく、把持部に押されるようにして後方側の大便器に倒れこんでしまうことを防止することができる。
上記のように、第一のロック位置と第二のロック位置と第三のロック位置を設けることで、車椅子使用者の車椅子からの立ち上がり動作から、大便器に着座にした状態を保持する間の全ての動作をサポートすることができる。このようなトイレ用手摺装置を提供することで、車椅子使用者は一人で全ての動作を行うことができる。
【００１４】
第二の発明は、第三のロック位置を把持部の延在方向が大便器の左右方向に対して傾斜した状態となるように構成されるとともに、第一のロック位置から大便器の前方スペース側へ４５度未満の間の位置で回動をロックすることで、使用者が大便器の前方に立った状態の保持や着座する際に必要となるスペースを確保することができる。さらに、把持部を掴んだ一方の腕は大便器に近い場所にあり、着座する際に腕に力が入れやすくなる。そのため、使用者は足の筋力に加えて、腕の力で体重を支えることができ、安定した状態で大便器に着座することができる。したがって、バランスを崩して勢いよく大便器に着座することや転倒することを防止することができる。
【００１５】
第三の発明は、第二のロック位置を大便器の左右方向に対して傾斜させて設けるとともに、第一のロック位置から第二のロック位置までの回動角度は、第一のロック位置から第三のロック位置までの回動角度よりも大きい位置でロックすることで、第二のロック位置から第三のロック位置までの移動距離が短くなり、移動時に勢いがつくことがないため、第三のロック位置で、安定した状態で停止することができる。
【発明の効果】
【００１６】
本発明によれば、車椅子からの立ち上がり動作と便器に着座した状態の姿勢保持動作をサポートするとともに、車椅子から立ち上がってから便器に着座するまでの移動動作も安定してサポートできるトイレ用手摺装置を提供することができる。
【図面の簡単な説明】
【００１７】
【図１】本発明の一実施形態に係るトイレ用手摺装置が設置されたトイレルームを模式的に示す斜視図である。
【図２】本発明の一実施形態に係るトイレ用手摺装置が設置されたトイレルームを模式的に示す側面図である。
【図３】本発明の一実施形態に係るトイレ用手摺装置が設置されたトイレルームを模式的に示す上面図である。
【図４】トイレ用手摺装置の把持部の回動を例示する模式図である。
【図５】本実施形態のトイレ用手摺装置を利用して大便器に着座した状態の保持を例示する模式図である。
【図６】本実施形態のトイレ用手摺装置の第二のロック位置を例示する模式図である。
【図７】本実施形態のトイレ用手摺装置を利用して車椅子からの立ち上がり動作を例示する模式図である。
【図８】本実施形態のトイレ用手摺装置の第三のロック位置を例示する模式図である。
【図９】本実施形態のトイレ用手摺装置の第二のロック位置から第三のロック位置までの移動を例示する模式図である。
【図１０】本実施形態のトイレ用手摺装置を利用して大便器に着座する際の動作について例示する模式図である。
【発明を実施するための形態】
【００１８】
以下、添付図面を参照しながら本発明の実施の形態について説明する。説明の理解を容易にするため、各図面において同一の構成要件に対しては、可能な限り同一の符合を付して、重複する説明は省略する。
【００１９】
図１は、本発明の一実施形態に係るトイレ用手摺装置が設置されたトイレルームを模式的に示す斜視図である。
また、図２は本発明の一実施形態に係るトイレ用手摺装置が設置されたトイレルームを模式的に示す側面図である。
また、図３は本発明の一実施形態に係るトイレ用手摺装置が設置されたトイレルームを模式的に示す上面図である。
【００２０】
トイレルーム１００には、腰掛式の大便器１１０が設置されている。そして、大便器１１０の前方に、本実施形態のトイレ用手摺装置１が設けられている。このトイレ用手摺装置１は、使用者１０００が把持することができる把持部２と、把持部２の一端側にトイレルーム１００の大便器１１０前方の空間を水平方向に回動可能とする回動軸部３を設けている。さらに、回動軸部３によって水平方向に回動される把持部２をロックするロック機構４とを備える。本実施例の一例として、具体的には図３のように、トイレ用手摺装置１の回動軸部３を使用者１０００が大便器１１０に着座した状態の右側のトイレルーム１００壁面に設け、回動軸部３を中心にして大便器１１０の前方のスペースを水平方向に回動させる。
【００２１】
回動軸部３は、使用者１０００が大便器１１０に着座した状態の右側のトイレルーム１００壁面に設けられる必要はなく、大便器１１０の前方スペースを水平方向に回動できればよい。従って、大便器１１０の前方スペースを水平方向に回動できれば、回動軸部３の設置場所は任意に設定できる。
【００２２】
図４は、トイレ用手摺装置の把持部の回動を例示する模式図である。
トイレ用手摺装置１の把持部２は、大便器１１０の前方空間を水平方向に回動可能な構成となっており、ロック機構４によって、水平方向に回動可能な把持部２を所定の位置で回動をロックすることができる。所定の位置の具体例は図４のように、大便器１１０に着座した状態を保持することができる第一のロック位置５と、車椅子からの立ち上がりをサポートする第二のロック位置６と、使用者１０００の移動時に倒れ込みを防止する第三のロック位置７である。
【００２３】
図５は、本実施形態のトイレ用手摺装置を利用して大便器に着座した状態の保持を例示する模式図である。
使用者１０００が大便器１１０に着座している用便時の姿勢は、前傾の姿勢をとることが一般的である。そこで、大便器１１０に着座した状態を保持する第一のロック位置５を使用者１０００が大便器１１０に着座した状態の脚部上方の位置で回動をロックするように構成する。このような構成とすることで、使用者１０００はトイレ用手摺装置１の把持部２を掴んで体重を支えることができるため、大便器１１０に着座した姿勢を安定した状態で保持することができる。
なお、第一のロック位置５は、大便器１１０前端上方から大便器１１０前方空間側１５０mmの間にあることが好ましい。
【００２４】
図６は、本実施形態のトイレ用手摺装置の第二のロック位置を例示する模式図である。
第二のロック位置６は、使用者１０００が車椅子から立ち上がるために必要な第一のスペース８を確保しつつ、大便器１１０の左右方向に対して傾斜するようにして第一のロック位置５から第二のロック位置６までの角度は第一のロック位置５と第三のロック位置７までの角度より大きくなるように設けられる。
具体的には、図６のように、使用者１０００が把持部２に接近した際に、車椅子から立ち上がるスペースである第一のスペース８が確保されているため、車椅子１１００からの立ち上がりをスムーズに行うことができ、安定した状態で立ち上がることができる。さらに、把持部２は、大便器１１０の左右方向に対して傾斜するように設けられることから、使用者１０００が把持部に接近した際に、把持部２の回動軸部３の逆方の端部は使用者に近い所に位置するため、使用者１０００は車椅子１１００に座った状態であっても把持部２を掴み易く、トイレ用手摺装置１を利用しやすい。
【００２５】
第二のロック位置６は、第一のロック位置５から大便器１１０の前方方向へ３５度から９０度の間の位置が好ましい。更に好ましくは第一のロック位置５から大便器１１０前方側へ４５度の位置である。
【００２６】
図７は、本実施形態のトイレ用手摺装置を利用して車椅子からの立ち上がり動作を例示する模式図である。
使用者１０００が車椅子１１００から立ち上がる動作は、トイレ用手摺装置１の把持部２に接近し、車椅子１１００から立ち上がるために、第一のスペース８に足を下ろす。その後、立ち上がるために把持部２を掴み、トイレ用手摺装置１を利用しながら車椅子から立ち上がる。その際に、第一のスペース８を取りすぎると、トイレ用手摺装置１までの距離が遠くなってしまい、使用者１０００が把持部２を掴むと腕が伸びた状態となり、腕に力が入れづらくなってしまうが、把持部２の回動軸部３の逆方の端部が、使用者１０００に近い所に位置するため、使用者１０００の腕は曲がった状態で把持部２を掴むことができる。さらに、第一のスペース８は十分に確保することができる。そのため、使用者１０００は腕に力を入れやすく、足の筋力に加えて腕の力で立ち上がることができる。
【００２７】
図８は、本実施形態のトイレ用手摺装置の第三のロック位置を例示する模式図である。
第三のロック位置７は、第一のロック位置５と第二のロック位置６との間にあり、大便器１１０の左右方向に対して傾斜させるとともに、使用者１０００が着座に必要なスペースである第二のスペース９を確保するような位置である。
【００２８】
第二のスペース９は、使用者１０００が大便器１１０の前方に立った状態を維持できるとともに、大便器１１０への着座に必要な動作を行うことができるスペースである。
なお、第三のロック位置７は第一のロック位置５から大便器１１０から前方側に１５度から３０度の間にあることが好ましい。更に好ましくは第一のロック位置５から大便器１１０の前方側に２２．５度の位置が望ましい。
【００２９】
図９は、本実施形態のトイレ用手摺装置の第二のロック位置から第三のロック位置までの移動を例示する模式図である。
使用者１０００は、第二のロック位置６で立ち上がり、大便器１１０へ向って移動を行う。車椅子使用者１０００は、第二のロック位置６から第三のロック位置７までトイレ用手摺装置１の把持部２を掴んで、トイレ用手摺装置１にサポートされるようにして移動する。使用者１０００は、大便器１１０までの距離感が把握しづらい後方への移動であっても、第二のスペース９が確保されて第三のロック位置７でロックされることで、把持部２が回動し過ぎることがないため、第二のスペース９が無くなり、トイレ用手摺装置１に押されるようにして後方側の大便器１１０に倒れ込むことがない。
【００３０】
また、第二のロック位置６を大便器１１０の左右方向に対して傾斜させて設けると共に、第三のロック位置７を設けることで、第二のロック位置６から第三のロック位置７までの移動距離が短くなり、移動時に勢いがつくことがなく、使用者１０００は安定した状態で第三のロック位置７で停止することができる。
【００３１】
図１０は、本実施形態のトイレ用手摺装置を利用して大便器に着座する際の動作について例示する模式図である。
使用者１０００がトイレ用手摺装置１を利用して大便器１１０に着座する際は、トイレ用手摺装置１の把持部２に掴まりながら、徐々に後方へ移動して大便器１１０に着座する。その際に、使用者１０００は後方へ移動するため、トイレ用手摺装置１の把持部２までの距離が長くなり、使用者１０００の腕が伸びた状態となり力が入れづらくなってしまうが、第三のロック位置７を大便器１１０の左右方向に対して傾斜して設けることで、把持部２の回動軸部３周辺は使用者１０００の近くに位置するため、使用者１０００が着座するために後方へ移動したとしても、腕が伸びきることがない。そのため、使用者１０００は足の筋力に加えて、腕の力で体重を支えつつ大便器１１０に着座することができる。したがって、使用者１０００はゆっくりと安定した状態で大便器１１０に着座することができる。
【００３２】
以上のような構成とすることで、車椅子からの立ち上がり動作と便器に着座した状態の姿勢保持動作をサポートするとともに、車椅子から立ち上がってから便器に着座するまでの移動動作も安定してサポートできる。
【符号の説明】
【００３３】
１：トイレ用手摺装置
２：把持部
３：回動軸部
４：ロック機構
５：第一のロック位置
６：第二のロック位置
７：第三のロック位置
８：第一のスペース
９：第二のスペース
１００：トイレルーム
１１０：大便器
１０００：使用者
１１００：車椅
【図１】
2014223118.tif 000003
【図２】
2014223118.tif 000004
【図３】
2014223118.tif 000005
【図４】
2014223118.tif 000006
【図５】
2014223118.tif 000007
【図６】
2014223118.tif 000008
【図７】
2014223118.tif 000009
【図８】
2014223118.tif 000010
【図９】
2014223118.tif 000011
【図１０】
2014223118.tif 000012